(57)【要約】【課題】装飾性と強度の課題を両立させる形状設計に着眼して、これを解決する釣り糸ガイド及びこれを備える釣り竿を提供する。【解決手段】一実施例により、釣り糸が通過するリング部から延びて釣り竿に取り付けられる取付足を含む釣り糸ガイドが提供される。取付足は、取付足の長さ方向に直交する幅方向の断面の両側にそれぞれ段差部が形成されることができる。【選択図】図４
2020018292.tif 000002
【特許請求の範囲】
【請求項１】
釣り糸が通過するリング部から延びて釣り竿に取り付けられる取付足を含む釣り糸ガイドにおいて、
前記取付足は、前記取付足の長さ方向に直交する幅方向の断面の両側にそれぞれ段差部が形成され、
前記段差部は、前記取付足の幅方向の断面の高さ方向を基準として前記取付足の中央部分より低い高さを有し、
前記取付足の中央部分は、前記取付足の幅方向の断面の高さ方向と平行な側面を備える、釣り糸ガイド。
【請求項２】
前記段差部は、前記幅方向を基準として前記取付足の全幅の１５〜２２．５％である、請求項１に記載の釣り糸ガイド。
【請求項３】
前記段差部の深さは、前記取付足の幅方向の断面の高さ方向を基準として前記取付足の中央部分の幅方向の中心位置の厚みの３０〜５０％である、請求項１に記載の釣り糸ガイド。
【請求項４】
前記リング部と前記取付足との間を連結する支脚をさらに含み、
前記取付足は金属材料で構成される、請求項１に記載の釣り糸ガイド。
【請求項５】
前記段差部は、前記取付足の下面部分を支持した状態で前記取付足の上面部分を前記取付足の幅方向の断面の高さ方向に沿って圧搾する押込み加工により、前記幅方向に延びて形成される、請求項１に記載の釣り糸ガイド。
【請求項６】
請求項１から請求項５のいずれか１項に記載の釣り糸ガイドと、
前記釣り糸ガイドが取り付けられる管状竿と、
前記釣り糸ガイドの前記取付足及び前記取付足に隣接した前記管状竿の外周部を巻くように構成された巻き糸と、
前記巻き糸上に塗布されて硬化する接着剤と、を含む、釣り竿。
【請求項７】
前記段差部の一端は前記取付足の一端と隣接する位置に形成され、前記段差部の他端は、前記取付足の先端と隣接する位置に形成され、
前記巻き糸は、前記取付足の先端より後方に位置した前記管状竿の外周部から前記段差部の一端まで巻かれるように構成された、請求項６に記載の釣り竿。
【請求項８】
前記取付足の中央部分の角と前記段差部の角を連結した線と前記幅方向との間の角度は、１１０°〜１５０°間である、請求項６に記載の釣り竿。
【請求項９】
前記巻き糸の前記取付足の中央部分の角と前記段差部の角とを通る部分と前記段差部の上面との間の空間は、前記接着剤で満たされる、請求項６に記載の釣り竿。
【発明の詳細な説明】
【技術分野】
【０００１】
本開示は、釣り竿に取り付けられて釣り糸を案内する釣り糸ガイド及びこれを備える釣り竿に関するものである。
【背景技術】
【０００２】
釣り竿において釣り糸を案内する釣り糸ガイドには、巻き糸（スレッド）により釣り竿に固定される糸巻式ガイドがある。このような糸巻式ガイドは、釣り竿の長さに応じて、複数の適宜な位置に、釣り竿上に取り付けられる。
【０００３】
仕掛けをキャストする時や魚を釣り上げる時に釣り糸を通じて発生する前後左右上下及び捩れ等の負荷から十分に耐えるために、糸巻式ガイドは、糸巻式ガイドの取付足に、釣り竿と共に巻き糸を堅固に巻いた後、エポキシ等の接着剤で固定されることができる。また、取付足自体も負荷による変形や破断が起きないように、必要な強度を有する、幅と厚みを持たせた取付足の設計が行われる。
【０００４】
釣り糸ガイドの一例として、日本国特許公報第４６５２１３６号（特許文献１）は、２つの取付足を有する釣り糸ガイドを開示している。特許文献１によると、２つの取付足は、釣り竿のバット（ｂｕｔｔ）側と釣り竿のチップ（ｔｉｐ）側にそれぞれ位置し、一対の側支脚がリング部の後端の左右両側から下方に位置する釣り竿に向って釣り竿のバット側に延び出ており、釣り竿のバット側の取付足は、前記一対の側支脚の先端から移行され、舌片状で釣り竿のバット側に先細り形状になっており、釣り竿の竿体に対し、略水平に配向した状態で管状竿に当接している。前記釣り竿のバット側の取付足は、巻き糸を巻き易くするために釣り竿のバット側が先細り形状となっているが、前記一対の支脚に向って必要な強度を有するために幅と厚みが拡張されていく。
【０００５】
また、釣り糸ガイドの一例として、日本国特許公報第５９１９４４８号（特許文献２）は、取付足の下面に形成された補強溝を有する釣り糸ガイドを開示している。特許文献２によれば、補強溝は取付足の下面に形成され、取付足の長手方向に沿って伸びる。補強溝は負荷が集中する取付足の部分にあり、補強溝によって負荷が集中する取付足の部分が加工硬化し、塑性変形に強い。補強溝を有さない側の取付足の上面は、特許文献１と同様に、巻き糸を巻き易くするために釣り竿のバット側が先細り形状となっているが、特許文献１の釣り竿のバット側の取付足と同様に前記一対の支脚に向って必要な強度を有するために幅と厚みが拡張されていく。
【先行技術文献】
【特許文献】
【０００６】
【特許文献１】日本国特許公報第４６５２１３６号
【特許文献２】日本国特許公報第５９１９４４８号
【発明の概要】
【発明が解決しようとする課題】
【０００７】
糸巻式ガイドは、取付足で釣り竿と共に巻き糸を巻き付け、エポキシ等の接着剤で固定されるため、巻き糸の巻き付け状態、接着剤の偏りや凹凸が少ない接着状態が、釣り竿の装飾性において重要となる。また、巻き糸は釣り竿の円周状と同様に、略円周状に巻き付ければ美観に優れるようになる。巻き糸を略円周状に巻き付けるために、糸巻式ガイドの取付足は嵩張りのない形状とすることが好ましく、取付足の形状は幅を狭く、厚みを薄くするのが良好な形状を有するといえる。
【０００８】
一方、取付足は、負荷による変形や破断が起きないように、必要な強度を有する幅と厚みを持たせた設計が行われるので、巻き糸巻き付けの美観を重要視して、単純に取付足の幅を狭く、厚みを薄くするのは、強度設計の観点から非常に難しい課題となっている。
【０００９】
エポキシ等の接着剤においては、表面に偏りや凹凸を少なくするために、薄く塗布するように接着を行うが、薄く塗布すれば、接着力に影響を与えて、釣り竿の撓りによる接着剤の伸縮の繰返しにより、接着剤の白化や割れが発生するようになり、釣り竿の装飾性が大きく損なわれ得る。
【００１０】
本開示は、前述した装飾性と強度の課題を両立させる形状設計に着眼して、これを解決するために創案されたものである。本開示は、釣り糸ガイドを固定する巻き糸が略円周状に釣り竿へ巻き付けられるため、釣り竿の装飾性を損なわず、かつ、仕掛けをキャストする時や魚を釣り上げる時に釣り糸を通じて発生する前後左右上下及び捩れ等の負荷から釣糸ガイドの変形や破断を防ぎ、釣糸ガイドを固定するエポキシ等の接着剤の外観を損なわずに、接着力を向上させる、釣糸ガイド及びこれを備える釣り竿を提供する。
【課題を解決するための手段】
【００１１】
本開示の一実施例による、釣り糸が通過するリング部から延びて釣り竿に取り付けられる取付足を含む釣り糸ガイドにおいて、取付足は、取付足の長さ方向に直交する幅方向の断面の両側にそれぞれ段差部が形成されることができる。段差部は、取付足の幅方向の断面の高さ方向を基準として取付足の中央部分より低い高さを有することができる。取付足の中央部分は、取付足の幅方向の断面の高さ方向と平行な側面を備える。
【００１２】
一実施例によると、段差部は、幅方向を基準として取付足の全幅の１５〜２２．５％であってもよい。
【００１３】
一実施例によると、段差部の深さは、取付足の幅方向の断面の高さ方向を基準として取付足の中央部分の幅方向の中心位置の厚みの３０〜５０％であってもよい。
【００１４】
一実施例によると、リング部と取付足との間を連結する支脚をさらに含み、取付足は金属材料で構成されることができる。
【００１５】
一実施例によると、段差部は、取付足の下面部分を支持した状態で取付足の上面部分を取付足の幅方向の断面の高さ方向に沿って圧搾する押込み加工により、幅方向に延びて形成されることができる。
【００１６】
本開示の一実施例による釣り竿は、釣り糸ガイドと、釣り糸ガイドが取り付けられる管状竿と、釣り糸ガイドの取付足及び取付足に隣接した管状竿の外周部を巻くように構成された巻き糸と、巻き糸上に塗布されて硬化する接着剤とを含むことができる。
【００１７】
一実施例によると、段差部の一端は取付足の一端と隣接する位置に形成され、段差部の他端は取付足の先端と隣接する位置に形成され、巻き糸は、取付足の先端より後方に位置した管状竿の外周部から段差部の一端まで巻かれるように構成されることができる。
【００１８】
一実施例によると、取付足の中央部分の角と段差部の角を連結した線と幅方向との間の角度は、１１０°〜１５０°間であってもよい。
【００１９】
一実施例によると、巻き糸の取付足の中央部分の角と段差部の角とを通る部分と段差部の上面との間の空間は、接着剤で満たされることができる。
【発明の効果】
【００２０】
本開示の実施例によると、釣り糸ガイドが管状竿に設置された状態で取付足の角部分が美観上緩やかな形態に示されることができる。段差部を形成するために取付足に押込み加工をするようになるため、取付足の強度及び剛性を向上させることができる。また、段差部と巻き糸との間に接着剤が塗布され得る追加の空間が設けられるため、巻き糸と釣り糸ガイドの結合性が向上することができる。
【図面の簡単な説明】
【００２１】
【図１】本開示の一実施例による釣り竿を示す図である。
【図２】比較例による釣り糸ガイドが管状竿に設置される過程を説明するための図である。
【図３Ａ】比較例による釣り糸ガイドが管状竿に設置された様子を示す横断面図である。
【図３Ｂ】比較例による釣り糸ガイドが管状竿に設置された様子を示す横断面図である。
【図４】本開示の一実施例による釣り糸ガイドが設置された釣り竿を示す斜視図である。
【図５Ａ】本開示の一実施例による釣り糸ガイドの構成を示す図である。
【図５Ｂ】本開示の一実施例による釣り糸ガイドの構成を示す図である。
【図５Ｃ】本開示の一実施例による釣り糸ガイドの構成を示す図である。
【図５Ｄ】本開示の一実施例による釣り糸ガイドの構成を示す図である。
【図５Ｅ】本開示の一実施例による釣り糸ガイドの構成を示す図である。
【図６】図４に示す釣り糸ガイドの取付足の部分をＢ−Ｂ線で切断した横断面図である。
【図７】図６に示す取付足と管状竿を示す断面図である。
【図８】本開示の一実施例による釣り糸ガイドの取付足に段差部を形成する過程を示す工程図である。
【図９】本開示の一実施例による釣り糸ガイドの取付足の細部構成を説明するための図である。
【図１０】取付足に対する押込み加工後に取付足の強度向上率を説明するための実験データである。
【図１１】取付足に対する押込み加工後に取付足の強度向上率を説明するためのグラフである。
【図１２】比較例による釣り糸ガイドの取付足が始まる境界を説明するための図である。
【図１３】本開示の一実施例による釣り糸ガイドにおいて、取付足が始まる境界位置を説明するための図である。
【図１４】比較例による釣り糸ガイドを巻いた巻き糸に接着剤が浸透する様子を説明するための図である。
【図１５】本開示の一実施例による釣り糸ガイドを巻いた巻き糸に接着剤が浸透する様子を説明するための図である。
【図１６】釣り糸ガイドの抜け強度を評価するテストを説明するための図である。
【図１７】図１６のテストで用いられる試験片を比較説明するための図である。
【図１８】図１７に示す試験片で行われたテスト結果を示すグラフである。
【図１９Ａ】本開示の他の実施例による釣り糸ガイドを説明するための図である。
【図１９Ｂ】本開示の他の実施例による釣り糸ガイドを説明するための図である。
【発明を実施するための形態】
【００２２】
本開示の実施例は、本開示の技術的思想を説明する目的で例示されたものである。本開示による権利範囲が以下に提示される実施例やこれらの実施例に関する具体的な説明で限定されるものではない。
【００２３】
本開示に用いられる全ての技術的用語及び科学的用語は、異なって定義されない限り、本開示が属する技術分野で通常の知識を有する者に一般に理解される意味を有する。本開示に用いられる全ての用語は、本開示をさらに明確に説明する目的で選択されたものであって、本開示による権利範囲を制限するために選択されたものではない。
【００２４】
本開示で用いられる「含む」、「備える」、「有する」などのような表現は、当該表現が含まれる語句または文章で異なって言及されない限り、他の実施例を含む可能性を内包する開放型用語（ｏｐｅｎ−ｅｎｄｅｄ  ｔｅｒｍｓ）と理解されるべきである。
【００２５】
本開示で記述された単数型の表現は、異なって言及しない限り、複数型の意味を含み得、これは請求の範囲に記載された単数型の表現にも同様に適用される。
【００２６】
本開示で用いられる「第１」、「第２」などの表現は、複数の構成要素を相互に区分するために用いられ、当該構成要素の順序または重要度を限定するものではない。
【００２７】
本開示において、ある構成要素が他の構成要素に「連結されて」いたり、「接続されて」いると言及された場合、前記ある構成要素が前記他の構成要素に直接的に連結され得たり、接続され得るものとして、または新たな他の構成要素を介して連結され得たり、接続され得るものとして理解されるべきである。
【００２８】
本開示で用いられる「前方」という方向指示語は、添付の図面で釣り竿のチップが釣り竿のバットに対して位置する方向を基準とし、「後方」、「後」等の方向指示語は、前方の反対方向を意味する。添付の図面に示す釣り竿は異なって配向されることもでき、前記方向指示語はそれに合わせて解釈されることができる。
【００２９】
本開示の図面に記載された座標系には、長さ方向（ＬＤ）、幅方向（ＷＤ）、及び高さ方向（ＨＤ）が表示されている。長さ方向（ＬＤ）は、釣り竿及び管状竿が延びた方向またはこれに設置された釣り糸ガイドの取付足が延びた方向を意味する。幅方向（ＷＤ）は、長さ方向（ＬＤ）に垂直な方向であって、取付足の幅を示す方向を意味する。高さ方向（ＨＤ）は、長さ方向（ＬＤ）及び幅方向（ＷＤ）にいずれも垂直な方向であって、釣り糸ガイドの高さまたは取付足の高さを示す方向を意味する。
【００３０】
以下、添付の図面を参照して、本開示の実施例を説明する。添付の図面において、同一であるか、対応する構成要素には同じ参照符号が付与されている。また、以下の実施例の説明において、同一であったり対応する構成要素を重複して記述することが省略され得る。しかし、構成要素に関する記述が省略されても、そのような構成要素がある実施例に含まれないものとして意図されるわけではない。
【００３１】
図１は、本開示の一実施例による釣り竿（１０００）を示す図である。矢印（Ｔｉｐ）は、釣り竿（１０００）の先端（チップ）に向かう方向を示し、矢印（Ｂｕｔｔ）は、釣り竿の後端（バット）に向かう方向を示す。釣り竿（１０００）は、１つの竿、または複数の部分竿を含む管状竿（１１００）からなり得る。釣り竿（１０００）は、その後端付近にリールを取り付けるためのリールシート（１２００）を有する。また、釣り竿（１０００）は、管状竿（１１００）の一部に取り付けられて釣り糸を案内する釣り糸ガイド（１）を備える。釣り竿（１０００）はその釣り糸ガイドとして、以下で記述する実施例の釣り糸ガイド（１）のうち、少なくとも１つを備える。釣り糸ガイド（１）は以下で「糸巻式ガイド」として参照され得る。
【００３２】
図２は、比較例による釣り糸ガイド（１Ａ）が管状竿（１１００）に設置される過程を説明するための図である。比較例による釣り糸ガイド（１Ａ）は、管状竿（１１００）の適切な位置に配置させた後、釣り糸を通じて発生する前後左右上下及び捩れ等の負荷に耐えるために、取付足（１００Ａ）を巻き糸（２００、スレッド）で管状竿（１１００）とともに巻き付け、十分な強度を確保するためにエポキシ等の接着剤（３００）で固定されることができる。
【００３３】
一方、取付足（１００Ａ）は、前述の負荷に対する必要な強度を有するために、所定の幅広さと厚みを持つように取付足（１００Ａ）の形状が設計されることができる。しかし、必要な強度を勘案して設計される場合、取付足（１００Ａ）の角部分に嵩張り（ｂｕｌｋｉｎｅｓｓ）が発生し、巻き糸（２００）を巻き付けると、管状竿（１１００）との一体感ある巻き糸（２００）の巻き付けが達成され難くなり得る。即ち、美観上の要求に十分に応えられないことがある。
【００３４】
図３Ａ及び図３Ｂは、比較例による釣り糸ガイド（１Ａ）が管状竿（１１００）に設置された様子を示す横断面図である。図３Ａ及び図３Ｂは、図２に示す釣り竿をＡ−Ａ線に沿って切断した様子を示す。
【００３５】
比較例による釣り糸ガイド（１Ａ）は、取付足（１００Ａ）の幅が広く設計されている。取付足（１００Ａ）は、上面（１０１Ａ）と下面（１０２Ａ）が概ね管状竿（１１００）の外周面と同様に曲面で構成され、両側面（１０３Ａ）は平たい面で構成される。従って、取付足（１００Ａ）の上面（１０１Ａ）と両側面（１０３Ａ）との間には一回折れるショルダー部（１５０Ａ）が形成されている。図３Ａを参照すると、取付足（１００Ａ）の上面（１０１Ａ）の幅（ＷＡ）は、管状竿（１１００）の直径に近接するように非常に広いサイズを有している。
【００３６】
図３Ａを参照すると、上面（１０１Ａ）の幅（ＷＡ）が管状竿（１１００）の上で広く形成されるため、取付足（１００Ａ）のショルダー部（１５０Ａ）が張り出して角が目立つようになり、巻き糸（２００）を巻き付けた状態で美観を損ねる結果を招くことがある。図３Ｂを参照すると、釣り糸ガイド（１Ａ）は、管状竿（１１００）の比較的直径が細くなる中間ないしチップに近い位置に設置されることができる。この位置では、取付足（１００Ａ）の上面（１０１Ａ）の幅（ＷＡ）が相対的に管状竿（１１００）の直径よりも大きいサイズを有するようになり、ショルダー部（１５０Ａ）の張り出しにより角がさらに目立つことがある。
【００３７】
図４は、本開示の一実施例による釣り糸ガイド（１）が設置された釣り竿（１０００）を示す斜視図である。
【００３８】
図４を参照すると、釣り糸ガイド（１）は、２つの取付足（５０、１００）を備えるダブルフット（ｄｏｕｂｌｅ−ｆｏｏｔ）釣り糸ガイドとして参照され得る。第１及び第２取付足（５０、１００）は、互いに反対方向に延びることができる。図４を参照すると、第１取付足（１００）には段差部（１１０）が形成されている。他の実施例で、第２取付足（５０）にも段差部が形成されてもよい。
【００３９】
釣り糸ガイド（１）は、以下の方式で管状竿（１１００）に設置されることができる。まず、第１及び第２取付足（５０、１００）の下面を管状竿（１１００）の外周面に密着させる。次に、第１取付足（１００）とこれに隣接する管状竿（１１００）の第１外周面部分（１１２０）とを巻き糸（２００）で巻く。また、第２取付足（５０）とこれに隣接する管状竿（１１００）の第２外周面部分（１１１０）とを巻き糸（２００）で巻く。次に、接着剤（３００）をそれぞれ巻き糸（２００）に染み込むように十分に塗布した後に、接着剤（３００）を硬化させれば、釣り糸ガイド（１）が管状竿（１１００）の予め定められた位置に固定されることができる。
【００４０】
図５Ａ〜図５Ｅは、本開示の一実施例による釣り糸ガイド（１）の構成を示す図である。図５Ａは、釣り糸ガイド（１）の斜視図を示す。図５Ｂは、釣り糸ガイド（１）の上面図を示す。図５Ｃは、図５Ｂに示す取付足（１００）をＣ−Ｃ線で切断した断面図を示す。図５Ｄは、釣り糸ガイド（１）の側面図を示す。図５Ｅは、図５Ｄに示す支脚（２０）をＤ−Ｄ線で切断した断面が見られる上面図を示す。
【００４１】
図５Ａを参照すると、釣り糸ガイド（１）は、釣り糸が通過するリング部（１０）及びこれから延びる第１取付足（１００）を含むことができる。例えば、リング部（１０）には、ガイドリング（３０）が嵌合されることができる。また、釣り糸ガイド（１）は、リング部（１０）の後面（１１）から下方に延びた第１支脚（２０）をさらに含むことができる。この場合、第１取付足（１００）は、第１支脚（２０）から長さ方向（ＬＤ）に延びて形成されることができる。
【００４２】
釣り糸ガイド（１）は、リング部（１０）の前面（１２）から支脚（２０）の反対方向に延びた第２支脚（２５）とこのような第２支脚（２５）の先端に形成された第２取付足（５０）をさらに含むことができる。ガイドリング（３０）を除いた釣り糸ガイド（１）の各部分は、金属シートから形成されることができる。第１取付足（１００）は以下で「取付足（１００）」として参照され得る。
【００４３】
ガイドリング（３０）は円形であり、その中に釣り糸が通過する円形の開口を有することができる。ガイドリング（３０）はその表面で釣り糸と接触し、セラミックのような硬質の材料からなり得る。リング部（１０）は、ガイドリング（３０）をその外周面全体にわたって保持するように円形の開口が形成されたリング状を有する。ガイドリング（３０）はその外周面でリング部（１０）の内周面に嵌合される。
【００４４】
図５Ａ及び図５Ｂを参照すると、取付足（１００）は、取付足（１００）の長さ方向に沿って両側部に段差部（１１０）が形成されることができる。段差部（１１０）は、取付足（１００）の長さ方向（ＬＤ）に直交する幅方向（ＷＤ）の断面の両側に形成されることができる。段差部（１１０）は、取付足（１００）の両側部に対称に形成されることができる。即ち、段差部（１１０）は、取付足（１００）の中央部分（１２０）を挟んで両側に形成されることができる。
【００４５】
図５Ｂを参照すると、段差部（１１０）は、取付足（１００）の側部の形状に対応する形状を有することができる。段差部（１１０）は、取付足（１００）の先端から長さ方向（ＬＤ）に平行に延びて、支脚（２０）と連結される部分で開く形状を有することができる。また、段差部（１１０）の幅（Ｗ）は、取付足（１００）の長さ方向に沿って変わることができる。即ち、段差部（１１０）の幅（Ｗ）は、取付足（１００）の先端から中間部分に行きながら拡張され、支脚（２０）と連結される部分で再度狭くなることができる。
【００４６】
図５Ｂに示すＣ−Ｃ線は、取付足（１００）で段差部（１１０）の幅（Ｗ）が最も大きい部分に表示されている。図５Ｃを参照すると、取付足（１００）の断面は、「逆Ｔ」字状を有することができる。段差部（１１０）は、中央部分（１２０）から折れて高さが低くなるように形成されることができる。
【００４７】
図５Ｃを参照すると、段差部（１１０）の上面（１１１）は、中央部分（１２０）の上面（１２１）に比べて高さ方向（ＨＤ）を基準としてさらに低い高さを有することができる。中央部分（１２０）の側面（１２２）は、段差部（１１０）の上面（１１１）と中央部分（１２０）の上面（１２１）とを繋ぐように形成されることができる。中央部分（１２０）の側面（１２２）は、概ね高さ方向（ＨＤ）と平行に形成されることができる。これとは異なり、段差部（１１０）の側面（１１２）は高さ方向（ＨＤ）に対して所定の角度で傾くように形成されることができる。
【００４８】
中央部分（１２０）の上面（１２１）は概ね曲面形状を有することができ、段差部（１１０）の下面（１０２）は概ね曲面形状を有することができる。また、段差部（１１０）の上面（１１１）も概ね曲面形状を有することができる。段差部（１１０）の下面（１０２）は、管状竿（１１００）に密着するように管状竿（１１００）の所定部分の直径と対応する曲率半径を有することができる。
【００４９】
図５Ｄ及び図５Ｅを参照すると、取付足（１００）には、段差部（１１０）が形成される過程で第１及び第２加工硬化部（１３１、１３２）が形成されることができる。段差部（１１０）は、押込み加工を通じて形成されることができ、段差部（１１０）はこれを構成する金属材料の少なくとも一部が加工硬化を起こすまで行われることができる。第１加工硬化部（１３１）は、中央部分（１２０）の上側角に形成されることができ、第２加工硬化部（１３２）は、段差部（１１０）が始まるコーナー部分に形成されることができる。第１及び第２加工硬化部（１３１、１３２）は、段差部（１１０）の長さ方向（ＬＤ）に沿って形成されることができ、他の部分より高い降伏応力（ｙｉｅｌｄ  ｓｔｒｅｓｓ）または耐力（ｐｒｏｏｆ  ｓｔｒｅｓｓ）を有することができる。これにより、取付足（１００）の強度がさらに向上することができる。
【００５０】
図５Ｄを参照すると、第１支脚（２０）は、高さ方向（ＨＤ）を基準としてリング部（１０）の後面（１１）の中間部分から始まって下方に延びることができる。従って、第１支脚（２０）は、長さ方向（ＬＤ）に対して緩やかに傾斜した形状を有することができる。これとは異なり、第２支脚（２５）は、高さ方向（ＨＤ）を基準としてリング部（１０）の下側部分から始まって下方に延びることができる。また、第２支脚（２５）と第２取付足（５０）は、９０°より小さい角度をなすことができる。
【００５１】
図５Ｅを参照すると、第１支脚（２０）の断面（２３）は、四角形状を有することができる。この場合、他の断面形状を有する場合に比べて、支脚（２０）の剛性が強化されることができる。第１支脚（２０）は、幅方向を基準としてリング部（１０）の両側からそれぞれ２つの分岐で延びることができる。２つの分岐で構成された第１支脚（２０）は、取付足（１００）と連結される地点で合わさることができる。
【００５２】
図６は、図４に示す釣り糸ガイド（１）の取付足（１００）部分をＢ−Ｂ線で切断した横断面図である。図６では、説明の便宜のために、接着剤（３００）の図示が省略されている。以下では、釣り糸ガイド（１）を図３Ａに示す釣り糸ガイド（１Ａ）と比較して説明する。
【００５３】
一実施例による釣り糸ガイド（１）は、比較例による釣り糸ガイド（１Ａ）に比べて、取付足（１００）の中央部分（１２０）の幅（Ｗｔ）の張り出しとショルダー部（１５０）の目立ちが抑制され得る。また、前述の通り、取付足（１００）に加工硬化部が形成されて強度向上を実現させることができる。一実施例による取付足（１００）は、比較例による釣り糸ガイド（１Ａ）の上面（１０１Ａ）の幅（ＷＡ）に比べて中央部分（１２０）の幅（Ｗｔ）の張り出しが小さく、ショルダー部（１５０）が目立たない。また、段差部（１１０）を囲む巻き糸（２００）の両側部から延びた線（Ｌ１）と、幅方向（ＷＤ）と平行な線（Ｌ２）との間の角度（α）が鈍角をなすようになり、緩やかな勾配を形成することができる。
【００５４】
図７は、図６に示す取付足（１００）と管状竿（１１００）を示す断面図である。
取付足（１００）の中央部分（１２０）の角（１５１）と段差部（１１０）の角（１１３）とを連結した線（Ｌ１）と、幅方向（ＷＤ）と平行な線（Ｌ２）との間の角度（α）は、１１０°〜１５０°であることができる。前記角度（α）は、図６に示す巻き糸（２００）が形成する角度と同一であることができる。
【００５５】
本開示の実施例によって適用される図６及び図７に示す角度（α）の緩やかな勾配の範囲は１１０°〜１５０°であることができ、これにより、巻き糸（２００）の角部分の向上した美観性を達成することができる。もし、図６及び図７に示す角度（α）が前記範囲を逸脱すると、実用的な有効範囲を逸脱することがある。
図８は、本開示の一実施例による釣り糸ガイド（１）の取付足（１００）に段差部（１１０）を形成する過程を示す工程図である。
【００５６】
段差部（１１０）は、押込み加工により形成されることができる。押込み加工は、他の表現で「クラッシング（ｃｒｕｓｈｉｎｇ）加工」として参照され得る。押込み加工は、取付足（１００）のプリフォーム（ｐｒｅｆｏｒｍ）形状（１００Ｂ）の少なくとも一部を所定の形状を有するプレス（Ｐ）で押込んで押しつぶす加工を意味することができる。押込み加工は、図８（ａ）から図８（ｃ）に示す順序で行われ得る。図８（ｂ）及び８（ｃ）に示す二点鎖線は、プリフォーム形状（１００Ｂ）を示すものである。
【００５７】
取付足（１００）のプリフォーム形状（１００Ｂ）の両側上部にプレス（Ｐ）による押込み加工を行って、段差部（１１０）を設けることができる。押込み加工により取付足（１００）に段差部（１１０）を形成した後、巻き糸（２００）を巻き終えた後の外観は緩やかな勾配（傾斜）を形成し、角が目立たなくなり、美観上の要求を満たすことができる。
【００５８】
段差部（１１０）を形成するための押込み加工過程を説明すると、次の通りである。図８（ａ）を参照すると、まず、加工前にはプレス（Ｐ）を取付足（１００）のプリフォーム形状（１００Ｂ）の上側に整列する。次に、図８（ｂ）を参照すると、加工途中にはプレス（Ｐ）を下方に移動させながら、プリフォーム形状（１００Ｂ）の両側部（１１０Ｂ）を潰す。この過程で、両側部（１１０Ｂ）は、プレス（Ｐ）により矢印方向（一点鎖線で図示）に加圧されつつ、高さ方向（ＨＤ）への高さは低くなり、幅方向（ＷＤ）に長さは伸びるようになる。その後、プレス（Ｐ）の内側面（Ｐ１０）とプリフォーム形状（１００Ｂ）の中央部分（１２０Ｂ）の上面（１２１Ｂ）が接触するまでプレス（Ｐ）の加圧は持続する。このような過程を通じて、図８（ｃ）を参照すると、取付足（１００）に段差部（１１０）の形成が完成され得る。図８（ａ）及び図８（ｃ）を参照すると、段差部のない加工前のプリフォーム形状（１００Ｂ）と、加工後に段差部（１１０）が形成された取付足（１００）の形状を比較することができる。
【００５９】
このように、押込み加工を通じて、加工前のプリフォーム形状（１００Ｂ）の材料で高さが低くなった部分に対応するように幅方向（ＷＤ）に延びた段差部（１１０）が形成されることができる。前述の通り、押込み加工により段差部（１１０）に加工硬化部が形成されることができ、これにより取付足（１００）の強度及び剛性が向上することができる。
【００６０】
図９は、本開示の一実施例による釣り糸ガイド（１）の取付足（１００）の細部構成を説明するための図である。図９を参照して、段差部（１１０）の実用的な有効範囲を説明することができる。
【００６１】
１つの段差部（１１０）（即ち、取付足（１００）の幅方向（ＷＤ）の一側に形成された段差部（１１０））の幅（Ｗ）は、幅方向（ＷＤ）を基準として取付足（１００）の全幅（ＷＴ）の１５〜２２．５％であることができる。即ち、押込み加工により幅方向（ＷＤ）に延びる１つの段差部（１１０）の押込み加工幅（Ｗ）は、取付足（１００）の全幅（ＷＴ）の１５〜２２．５％のサイズを有することができる。
【００６２】
取付足（１００）の押込み加工深さ（Ｄ）は、取付足（１００）の幅方向の断面の高さ方向（ＨＤ）を基準として取付足（１００）の中央部分（１２０）の幅方向（ＷＤ）の中心位置の厚み（Ｔ）の３０〜５０％であってもよい。厚み（Ｔ）は、中央部分（１２０）の上面（１２１）の幅方向（ＷＤ）の中心地点（Ｃ１）と、段差部（１１０）の下面（１０２）の幅方向（ＷＤ）の中心地点（Ｃ２）との間の最短距離で定義され得る。即ち、押込み加工により高さ方向（ＨＤ）に圧搾される段差部（１１０）の押込み加工深さ（Ｄ）は、取付足（１００）の中央部分（１２０）の中心位置の厚み（Ｔ）の３０〜５０％のサイズを有することができる。
【００６３】
取付足（１００）に本開示の一実施例による段差部（１１０）を構成する場合、巻き糸（２００）の巻き付け後に勾配を緩やかにすることができ、取付足（１００）の強度を強化することができる。
【００６４】
以下では、段差部（１１０）の最適構成について説明する。１つの段差部（１１０）の押込み加工幅（Ｗ）は、取付足（１００）の全幅（ＷＴ）の２２．５％のときに最適の実施例（即ち、実用的なピーク値）を構成することができる。また、押込み加工深さ（Ｄ）は、取付足（１００）の最大厚（Ｔ）の５０％のときに最適の実施例（即ち、実用的なピーク値）を構成することができる。また、１つの段差部（１１０）の幅が全幅（ＷＴ）の２２．５％である場合、全押込み加工幅（２Ｗ）（即ち、取付足（１００）の両側に形成された２つの段差部（１１０）の幅（Ｗ）の総合計）は、この２倍である全幅（ＷＴ）の４５％となり得る。
【００６５】
図１０は、取付足（１００）に対する押込み加工後に取付足（１００）の強度向上率を説明するための実験データである。図１０の表において、第１行はこれに該当する全押込み加工幅（２Ｗ）を示し、第１列はこれに該当する押込み加工深さ（Ｄ）を示す。例えば、第６行及び第３列に表示された１０４．１％は全押込み加工幅（２Ｗ）が全幅（ＷＴ）の４５％であり、押込み加工深さ（Ｄ）が最大厚（Ｔ）の５０％である場合を示す。
【００６６】
図１１は、取付足（１００）に対する押込み加工後に取付足の強度向上率を説明するためのグラフである。図１１に示すグラフにおいて、Ｘ軸は押込み加工深さ（Ｄ）を示し、Ｙ軸は取付足（１００）の強度向上率を示す。
【００６７】
図１１を参照すると、段差部（１１０）の押込み加工深さ（Ｄ）が３０〜５０％間の範囲を有する場合、実用的な有効範囲にあるものと理解されることができる。また、図１１を参照すると、取付足（１００）の押込み加工深さ（Ｄ）が５０％以上でも０．２〜０．３％の僅かな強度向上があり得るが、プレス過程での不良を低減して生産性向上を図るために、押込み加工深さ（Ｄ）は５０％までが実用的な有効範囲となり得る。
【００６８】
図１１に示すグラフを参照すると、全押込み加工幅（２Ｗ）が３０％または６０％である場合に比べて全押込み加工幅（２Ｗ）が４５％である場合が取付足（１００）の強度がさらに大きいことを確認することができる。また、押込み加工深さ（Ｄ）が５０％のときに、取付足（１００）の強度は実用的なピーク値である１０４．１％となり得る。
【００６９】
図１２は、比較例による釣り糸ガイド（１Ｃ、１Ｄ）の取付足（１００Ｃ、１００Ｄ）が始まる境界（ＢＰ１、ＢＰ２）を説明するための図である。以下では、取付足（１００）と支脚（２０Ｃ、２０Ｄ）との間の巻き糸巻止め目印について説明する。
【００７０】
図１２（ａ）と図１２（ｂ）には互いに異なる形状を有する釣り糸ガイド（１Ｃ、１Ｄ）が示されている。取付足（１００Ｃ、１００Ｄ）には、段差部が形成されていない。釣り糸ガイド（１Ｃ、１Ｄ）の取付足（１００Ｃ、１００Ｄ）は、管状竿（１１００）とともに巻き糸（２００）を巻き付け、エポキシ等の接着剤（３００）で固定されることができる。巻き糸（２００）は、取付足（１００Ｃ、１００Ｄ）の先端の手前から巻き付け始めることができ、前記巻き付けは取付足（１００Ｃ、１００Ｄ）と支脚（２０Ｃ、２０Ｄ）との境界（ＢＰ１、ＢＰ２）で完了することができる。
【００７１】
例えば、釣り糸ガイド（１Ｃ、１Ｄ）の支脚が長さ方向に対して非常に横たわっている形状を有する場合がある。もし、境界（ＢＰ１、ＢＰ２）を示す目印が明確に示されていなければ、作業者が取付足を越えて支脚の部分にも巻き糸を巻いてしまうことがあり得、この場合、支脚に変形が発生するなどの問題が生じ得る。
【００７２】
これにより、境界（ＢＰ１、ＢＰ２）を明確にするために、支脚（２０Ｃ、２０Ｄ）のデザインに制限が生まれ、プレス過程で取付足（１００Ｃ、１００Ｄ）の上面部分に境界線を形成する必要がある。一方、支脚（２０Ｃ、２０Ｄ）と巻き糸（２００）が巻かれる取付足（１００Ｃ、１００Ｄ）の一部は応力が集中するため、構造的に応力亀裂が起こり易く、取付足（１００Ｃ、１００Ｄ）と支脚（２０Ｃ、２０Ｄ）との境界（ＢＰ１、ＢＰ２）をなす部分に境界線を形成することは好ましくないことがある。
【００７３】
また、巻き糸（２００）を巻き付ける工程で安定した巻き糸（２００）の長さで巻き付けてこそ高い品質を達成することができる。しかし、取付足（１００Ｃ、１００Ｄ）に境界（見切り位置）が明示されていなければ、作業者が巻き付けを終了する位置を一定に揃えることができないため、巻き過ぎによる美観の損失や巻き不足による固定力低下を招くことがある。従って、適宜な方法で適宜な位置に境界（見切り位置）を形成する必要がある。
【００７４】
図１３は、本開示の一実施例による釣り糸ガイド（１）において、取付足（１００）が始まる境界位置を説明するための図である。
【００７５】
一実施例による取付足（１００）の両側上面にプレスによる押込み加工を入れて段差部（１１０）を設けることができる。この場合、段差部（１１０）が始まる地点が巻き付けが終了する境界線（ＢＬ）となり得、取付足（１００）と支脚（２０）との境界を明確にすることができる。
【００７６】
前述の押込み加工により取付足（１００）に段差部（１１０）が形成されるため、境界（見切り位置）が明確になり、ユーザに便利な方式で巻き糸（２００）を巻き終える完了位置を一定に揃えることができる。また、巻き過ぎによる美観の損失や、巻き糸（２００）の巻き不足による固定力低下を防止することができる。
【００７７】
図１４は、比較例による釣り糸ガイド（１Ａ）を巻いた巻き糸（２００）に接着剤（３００）が浸透する様子を説明するための図である。
【００７８】
釣り糸ガイド（１Ａ）は、取付足（１００Ａ）に巻き糸を巻き付け、エポキシ等の接着剤（３００）にて十分な強度で固定されることができる。接着剤（３００）の塗布時、塗布される表面に接着剤（３００）の偏りや凹凸を少なくするために、通常薄く塗布されるように接着を行っているものの、接着剤（３００）を薄く塗布すれば、接着力に影響を与え得、釣竿の撓りによる接着剤（３００）の伸縮が繰返され得る。これにより、接着剤（３００）の白化や割れが発生するようになり、釣り竿の装飾性が損なわれる可能性がある。
【００７９】
このような接着剤（３００）の白化や割れを防ぐために、巻き糸（２００）が囲む空間の内部に接着剤（３００）を多く浸透させ得るように、接着工程の多様な研究が進行中である。接着工程過程で、接着剤（３００）が塗布される程度に差があることを意味する工程偏差により接着剤（３００）が巻き糸（２００）が囲む空間内部に浸透する量が不十分となり、接着力不足が起こり得る。その他に、接着剤（３００）の浸透不足の要因には、巻き糸の材質や粘度が高い接着剤の使用などが考慮され得、そのような阻害要因がある中でも、巻き糸が形成する内部空間に接着剤を浸透させる確率を高める必要がある。
【００８０】
図１５は、本開示の一実施例による釣り糸ガイドを巻いた巻き糸に接着剤が浸透する様子を説明するための図である。以下では、図１４に示す釣り糸ガイド（１Ａ）の場合と比較して説明する。
【００８１】
比較例による釣り糸ガイド（１Ａ）とは異なり、実施例による釣り糸ガイド（１）は、取付足（１００）の両側上面にプレスによる押込み加工を行い、段差部（１１０）を設けることができる。
【００８２】
比較例による釣り糸ガイド（１Ａ）には、取付足（１００Ａ）の上面（１０１Ａ）と巻き糸（２００）の内面との間に接着剤（３００）が浸透できる空間がなく、取付足（１００Ａ）の側面（１０３Ａ）と巻き糸（２００）の内面との間の空間（ＳＡ）にのみ接着剤（３００）が満たされることができる。これとは異なり、一実施例による釣り糸ガイド（１）の取付足（１００）には段差部（１１０）が形成されるため、中央部分（１２０）の側面（１２２）、段差部（１１０）の上面（１１１）及び巻き糸（２００）の内面間の第２空間（Ｓ２）及び段差部（１１０）の側面（１１２）、管状竿（１１００）の外周面及び巻き糸（２００）の内面間の第１空間（Ｓ１）に接着剤（３００）が満たされることができる。
【００８３】
従って、一実施例による釣り糸ガイド（１）は、比較例による釣り糸ガイド（１Ａ）とは異なり、接着剤（３００）が浸透できない部分が減少し、接着剤（３００）が浸透できる空間（断面積）を増加させることができる。また、取付足（１００）で巻き糸（２００）と接触する面積が増加することができる。
【００８４】
一実施例による釣り糸ガイド（１）には、押込み加工で段差部（１１０）が形成されるため、比較例ではなかった接着剤（３００）が浸透できる第２空間（Ｓ２）が形成されることができる。従って、巻き糸（２００）の内面に接着剤を浸透させることがさらに容易になされ得る。また、押込み加工により、取付足（１００）の中央部分（１２０）の幅が狭くなるようになり、接着力が弱い範囲が減少することができる。即ち、段差部（１１０）により新たな第２空間（Ｓ２）が形成されるため、接着剤（３００）が浸透できる総空間の断面積が増加することになり、接着力が向上することができる。
【００８５】
図１６は、釣り糸ガイドの抜け強度を評価するテストを説明するための図である。図１７は、図１６のテストで用いられる試験片（ＴＰＡ、ＴＰ１）を比較説明するための図である。
【００８６】
図１６を参照して説明されるテストを通じて、段差部がない取付足及び段差部がある取付足の間で抜け強度の差があるか否かを確認することができる。即ち、このようなテストを通じて、段差部がある取付足の抜け強度が向上することができるかを評価することができる。
【００８７】
テストの方法は次の通りである。試験片（ＴＰ）を金属材質の検証用軸（ＳＴ）に巻き糸（２００）を巻き、エポキシ接着剤（３００）でコーティングして固定させる。また、検証用軸（ＳＴ）を治具（Ｊ）で固定した状態で、ワイヤー（ＷＲ）の一端を試験片（ＴＰ）のホールに固定する。次に、荷重試験機がワイヤー（ＷＲ）の他端を矢印（Ｌ）で表示された方向に引っ張ってテストを行い、テスト結果により取付足の抜け強度を比較することができる。
【００８８】
図１７を参照すると、図１６に示す試験片（ＴＰ）は、２種類の試験片（ＴＰＡ、ＴＰ１）を含むことができ、これは互いに段差部（１１０）の有無でのみ差がある。比較例による試験片（ＴＰＡ）の取付足（１００Ａ）には段差部がなく、実施例による試験片（ＴＰ１）の取付足（１００）には段差部（１１０）が形成されている。実施例による試験片（ＴＰ１）の段差部（１１０）において、全押込み加工幅（２Ｗ）は４５％であり、押込み加工深さ（Ｄ）は５０％であるため、実用的な有効範囲に該当する。
【００８９】
２種類の試験片（ＴＰＡ、ＴＰ１）は、取付足（１００Ａ、１００）の厚み、幅及び長さにおいて、いずれも同一条件（幅：５．０ｍｍ、長さ：９．０ｍｍ）を有する。２種類の試験片（ＴＰＡ、ＴＰ１）のボディー（１８０Ａ、１８０）にはホール（１８１Ａ、１８１）が形成されており、ワイヤー（ＷＲ）の一端をホール（１８１Ａ、１８１）に通過させてワイヤー（ＷＲ）を試験片（ＴＰＡ、ＴＰ１）に連結することができる。
【００９０】
図１７の第４行を参照すると、２種類の試験片（ＴＰＡ、ＴＰ１）に対する抜去力（試験片の取付足が巻き糸と接着剤により固定されている検証用軸から抜かれる力）の差を比較することができる。比較例による試験片（ＴＰＡ）でテストした抜去力は２６９．９７Ｎであり、実施例による試験片（ＴＰ１）でテストした抜去力は２９５．０２Ｎである。従って、実施例による試験片（ＴＰ１）は、比較例による試験片（ＴＰＡ）に比べて抜去力が９．２８％向上したことを確認することができる。
【００９１】
図１８は、図１７に示す試験片（ＴＰＡ、ＴＰ１）で行われたテスト結果を示すグラフである。
【００９２】
Ｘ軸はワイヤー（ＷＲ）のストロークを意味し、単位はｍｍである。Ｙ軸はワイヤー（ＷＲ）が試験片（ＴＰＡ、ＴＰ１）を引っ張る力、即ち、試験力を意味し、単位はＮである。ワイヤー（ＷＲ）のストロークが増加すると、巻き糸（２００）と接着剤（３００）からの反作用により試験力が上昇するようになる。その後、試験片（ＴＰＡ、ＴＰ１）の巻き糸（２００）と接着剤（３００）から分離されて取付足が抜かれ始めた後には反作用が弱くなるため、試験力が減少するようになる。
【００９３】
図１８を参照すると、試験力が最も大きい地点が抜去力（試験片（ＴＰＡ）：２６９．９７Ｎ、試験片（ＴＰ１）：２９５．０２Ｎ）となり得る。また、抜去力の前の領域におけるＴＰ１による試験力が、ＴＰＡによる試験力より概ね大きいことを確認することができる。
【００９４】
前述の実験結果によると、段差部のある試験片の抜去力が段差部のない試験片の抜去力よりも大きいことが確認されるため、段差部がある場合に取付足が巻き糸と接着剤により段差部がない場合より管状竿に堅固に固定されることができるという点を確認することができる。
【００９５】
図１９Ａ及び図１９Ｂは、本開示の他の実施例による釣り糸ガイドを説明するための図である。
【００９６】
前述の実施例では、２つの取付足を有するダブルフット（ｄｏｕｂｌｅ−ｆｏｏｔ）釣り糸ガイド（１）について説明した。本開示による段差部の構成は、１つの取付足を有するシングルフット（ｓｉｎｇｌｅ−ｆｏｏｔ）釣り糸ガイド（２）にも適用されることができる。
【００９７】
釣り糸ガイド（２）は、リング部（４０）及びこれから延びる１つの取付足（２０５）を含むことができる。また、釣り糸ガイド（２）には、リング部（４０）と取付足（２０５）との間に支脚（７０）が提供されることができる。また、リング部（４０）には、ガイドリング（６０）が嵌められることができる。取付足（２０５）は、中央部分（２２０）を中心として両側に段差部（２１０）が形成されることができる。段差部（２１０）は、プレスにより取付足（２０５）の上面を押込む押込み加工により形成されることができる。
【００９８】
以上、一部実施例と添付の図面に示す例によって本開示の技術的思想が説明されたものの、本開示が属する技術分野で通常の知識を有する者が理解できる本開示の技術的思想及び範囲を逸脱しない範囲で多様な置換、変形及び変更がなされ得るという点を知っているべきである。また、そのような置換、変形及び変更は、添付の請求の範囲内に属するものと考えられるべきである。
【符号の説明】
【００９９】
１，２  釣り糸ガイド、１０，４０  リング部、２０，５０  支脚、１００  取付足、１１０，２１０  段差部、２００  巻き糸、３００  接着剤、１０００  釣り竿、１１００  管状竿。 
【図１】
2020018292.tif 000003
【図２】
2020018292.tif 000004
【図３Ａ】
2020018292.tif 000005
【図３Ｂ】
2020018292.tif 000006
【図４】
2020018292.tif 000007
【図５Ａ】
2020018292.tif 000008
【図５Ｂ】
2020018292.tif 000009
【図５Ｃ】
2020018292.tif 000010
【図５Ｄ】
2020018292.tif 000011
【図５Ｅ】
2020018292.tif 000012
【図６】
2020018292.tif 000013
【図７】
2020018292.tif 000014
【図８】
2020018292.tif 000015
【図９】
2020018292.tif 000016
【図１０】
2020018292.tif 000017
【図１１】
2020018292.tif 000018
【図１２】
2020018292.tif 000019
【図１３】
2020018292.tif 000020
【図１４】
2020018292.tif 000021
【図１５】
2020018292.tif 000022
【図１６】
2020018292.tif 000023
【図１７】
2020018292.tif 000024
【図１８】
2020018292.tif 000025
【図１９Ａ】
2020018292.tif 000026
【図１９Ｂ】
2020018292.tif 000027
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
釣り糸が通過するリング部から延びて釣り竿に取り付けられる取付足を含む釣り糸ガイドにおいて、
前記取付足は、前記取付足の長さ方向に直交する幅方向の断面の両側にそれぞれ段差部が形成され、
前記段差部は、前記取付足の幅方向の断面の高さ方向を基準として前記取付足の中央部分より低い高さを有し、
前記取付足の中央部分は、前記取付足の幅方向の断面の高さ方向と平行な側面を備える、釣り糸ガイド。
【請求項２】
前記取付足の両側に各々ある前記段差部は、個別に、前記幅方向を基準として前記取付足の全幅の１５〜２２．５％である、請求項１に記載の釣り糸ガイド。
【請求項３】
前記段差部の深さは、前記取付足の幅方向の断面の高さ方向を基準として前記取付足の中央部分の幅方向の中心位置の厚みの３０〜５０％である、請求項１に記載の釣り糸ガイド。
【請求項４】
前記リング部と前記取付足との間を連結する支脚をさらに含み、
前記取付足は金属材料で構成される、請求項１に記載の釣り糸ガイド。
【請求項５】
前記段差部は、前記取付足の下面部分を支持した状態で前記取付足の上面部分を前記取付足の幅方向の断面の高さ方向に沿って圧搾する押込み加工により、前記幅方向に延びて形成される、請求項１に記載の釣り糸ガイド。
【請求項６】
請求項１から請求項５のいずれか１項に記載の釣り糸ガイドと、
前記釣り糸ガイドが取り付けられる管状竿と、
前記釣り糸ガイドの前記取付足及び前記取付足に隣接した前記管状竿の外周部を巻くように構成された巻き糸と、
前記巻き糸上に塗布されて硬化する接着剤と、を含む、釣り竿。
【請求項７】
前記段差部は、前記取付足の長さ方向に沿って形成されるとともに、前記段差部の一端は、前記取付足と前記支脚の境界を規定する位置に形成され、前記段差部の他端は、前記取付足の先端と隣接する位置に形成され、
前記巻き糸は、前記取付足の先端より後方に位置した前記管状竿の外周部から前記段差部の一端まで巻かれるように構成された、請求項６に記載の釣り竿。
【請求項８】
前記取付足の中央部分の角と前記段差部の角を連結した線と前記幅方向との間の角度は、１１０°〜１５０°間である、請求項６に記載の釣り竿。
【請求項９】
前記巻き糸の前記取付足の中央部分の角と前記段差部の角とを通る部分と前記段差部の上面との間の空間は、前記接着剤で満たされる、請求項６に記載の釣り竿。